(57)【要約】【課題】一連の搬送ライン上で連続して化粧シートの余剰部を切除することを可能にし、生産性の高い化粧板の製造システムの提供を課題とする。【解決手段】薄紙Ｐの端部が基材Ｋの端面からはみ出すように、基材Ｋの表面及び端面に薄紙Ｐを貼着させ、はみ出した余剰部を集中的に冷却し、余剰部に塗布された水性または溶剤系接着剤を固化させる冷却固化装置７を備える。これにより、一連の搬送ライン３上で塗布工程からトリミング工程までを連続的に行うことを可能にする。【選択図】        図１
2006175769.tif 000002
【特許請求の範囲】
【請求項１】
一連の搬送ライン上に、
薄紙の裏面に水性系または溶剤系の接着剤を塗布する塗布装置と、
前記薄紙の端部が基材の端面からはみ出すように、前記基材の表面及び端面に前記薄紙を貼着させる貼着装置と、
前記基材の端面よりはみ出した前記薄紙の余剰部を冷却し、前記余剰部に塗布されている前記接着剤を固化させる冷却固化装置と、
冷却された前記余剰部を切除するトリミング装置と
を備えることを特徴とする化粧板の製造システム。
【請求項２】
前記塗布装置によって前記基材に前記接着剤が塗布された後であり、かつ前記冷却固化装置によって前記余剰部が冷却される前に、前記余剰部に塗布された前記接着剤に含まれる水または溶剤を蒸発させ、乾燥させる乾燥装置
をさらに備えることを特徴とする請求項１に記載の化粧板の製造システム。
【請求項３】
前記トリミング装置は、前記搬送ラインによって搬送される前記基材の通路に配置され、前記余剰部を切除する回転刃を有する
ことを特徴とする請求項１または請求項２に記載の化粧板の製造システム。
【請求項４】
前記薄紙の裏面に水性系または溶剤系の接着剤を塗布する塗布工程と、
前記薄紙の端部が基材の端面からはみ出すように、前記基材の表面及び端面に前記薄紙を貼着させる貼着工程と、
前記基材の端面よりはみ出した前記薄紙の余剰部を冷却し、前記余剰部に塗布されている前記接着剤を固化させる冷却固化工程と、
冷却された前記余剰部を切除するトリミング工程と
を一連の搬送ライン上で順次行うことを特徴とする化粧板の製造方法。
【請求項５】
前記塗布工程の後に、前記余剰部に塗布された前記接着剤に含まれる水または溶剤を蒸発させ、乾燥させる乾燥工程
をさらに行うことを特徴とする請求項４に記載の化粧板の製造方法。
【発明の詳細な説明】
【技術分野】
【０００１】
本発明は、家具や住宅などに用いられる扉材やパネル材として利用される化粧板の製造システム及び製造方法に関するものであり、特に、化粧シートを基材に張り合わせた際に、基材の周囲からはみ出した化粧シートの余剰部分を除去するためのシステム及び方法に関するものである。
【背景技術】
【０００２】
従来より、扉材やパネル材に用いられる化粧板として、合板やパーティクルボードなどの木質基材を利用した化粧板が知られている。こうした化粧板は、基材の露出する部分、例えば表面や端面部分に、木目やその他の模様を印刷した薄手の化粧シートを貼着することで、意匠性の高い、かつ経済性に優れる建材を実現するものである。
【０００３】
なお、こうした化粧板に利用される化粧シートの大きさは、基材の表面と端面とを加算したサイズ（化粧シートが貼着される面積）より大きく設定され、貼着される。何故ならば、多数の基材に連続して化粧シートを貼着する場合、基材表面の凹凸や厚みのばらつきによって、基材の表面に隙間無く貼り付けるために必要とされる化粧シートのサイズが変化するからであり、これらのばらつきを吸収するため、基材よりも大きめの化粧シートを用いることが一般的である。そこで、はみ出した余剰部分の化粧シートを切除する、トリミング工程が必要となる。
【０００４】
ところで、上記化粧板において、基材に貼着される化粧シートの素材としては、例えば塩化ビニル樹脂が挙げられる。塩化ビニル樹脂は、可塑剤の添加により硬度の調節が容易であり加工性に優れること、印刷適性に優れていること、エンボス加工性が良い事、切削加工性が良い事など多くの利点を有してはいるものの、焼却時に塩化水素ガスを発生させ、酸性雨やダイオキシンの発生要因になるとも言われている。さらに、塩化ビニル樹脂は、軟化温度が４０℃程度と比較的低いため、基材表面に貼着した後すぐにトリミングを行うと、冷えて固まるに従って縮んでしまう傾向がある。例えば、トリミング直後は、図５（ａ）に示すように基材Ｋの端面をくまなく覆うものであっても、一定時間が経過し、塩化ビニル樹脂が十分に冷えて固まった後は、図５（ｂ）に示すように縮んで基材Ｋの表面が露わに（矢印ａ）なる場合がある。このため、接着剤や塩化ビニル樹脂が十分に冷えるまではトリミング工程に移行できず、一連の搬送ライン上にて貼着工程からトリミング工程までを連続的に行うことが困難となっている。そこで、基材Ｋよりも大きいサイズの化粧シートを貼着させ、トリミングを行う代わりに、余剰部を基材Ｋの裏面に巻き込むなどの対策がとられているが、このような方法では、化粧板裏面の意匠性が著しく低下する。また、裏面に別の化粧シートを貼着させるとしても、巻き込んだ表面用化粧シートの余剰部分によって裏面用の化粧シートの貼着方法も制限を受けるという問題がある。そこで、塩化ビニル樹脂に代わり、より環境に優しく、コスト性にも優れ、トリミング後の伸縮が比較的少ないコート紙など薄紙の利用が広まってきた。
【０００５】
ここで、化粧シートとして薄紙を適用した場合、トリミング工程において、以下の点に留意する必要がある。すなわち、薄紙は、塩化ビニル樹脂とは違い、吸水性を有する素材である。従って、接着剤を塗布すると、繊維の奥まで接着剤が浸透し柔らかくなってしまう。このような状態の薄紙に刃先を当てると、刃先が当たった部分の薄紙が逃げてしまい、精度良く切除することが難しい。そこで、接着剤を塗布した後は、時間をおいて乾燥させ、薄紙の強度を回復させた後にトリミング工程を行う必要がある。そこで、従来は、貼着工程終了後に、搬送ライン上より基材を取り外し、別の場所で十分に乾燥させ、接着剤の固化を確認した後に人手でトリミング作業を行っている。
【０００６】
以上の従来技術は、当業者において当然として行われているものであり、出願人は、この従来技術が記載された文献を知見していない。
【発明の開示】
【発明が解決しようとする課題】
【０００７】
しかし、上記の製造方法によれば、貼着工程からトリミング工程までを、一連の搬送ライン上で連続的に行うことができないことに加え、乾燥のための専用スペースが必要であることなどから、極めて生産性が悪かった。また、そのような専用スペースに基材を運んで積み上げる作業は非常に手間であり、作業者の負担になっていた。
【０００８】
そこで、本発明は、上記の実状に鑑み、人手を煩わせることなく、一連の搬送ライン上で連続して化粧シートの余剰部を切除することを可能にする化粧板の製造システム及び製造方法の提供を課題とする。
【課題を解決するための手段】
【０００９】
本発明にかかる化粧板の製造システムは、「一連の搬送ライン上に、薄紙の裏面に水性系または溶剤系の接着剤を塗布する塗布装置と、前記薄紙の端部が基材の端面からはみ出すように、前記基材の表面及び端面に前記薄紙を貼着させる貼着装置と、前記基材の端面よりはみ出した前記薄紙の余剰部を冷却し、前記余剰部に塗布されている前記接着剤を固化させる冷却固化装置と、冷却された前記余剰部を切除するトリミング装置とを備える」ものである。
【００１０】
ここで、「基材」とは、特に限定されるものではないが、例えばパーティクルボード、ベニア合板、ＭＤＦ（Ｍｅｄｉｕｍ  Ｄｅｎｓｉｔｙ  Ｆｉｂｅｒｂｏａｒｄ）などの木質基材を例示できる。また、「冷却」とは、接着剤中の溶剤を凝集させて固化を促進させる温度であり、室温より低い温度でかつ基材や薄紙を低温脆化させない程度の温度であることが好ましい。
【００１１】
また、「水性系または溶剤系の接着剤」とは、薄紙と基材とを接着するものであれば特に限定するものではないが、例えば酢酸ビニル樹脂系溶剤型接着剤などの溶剤系接着剤、及び酢酸ビニル系エマルジョン型接着剤のような水性系接着剤などが挙げられる。
【００１２】
また、「冷却固化装置」とは、余剰部に塗布された接着剤を、貼着時よりも低い温度で冷却して溶剤の固化を促進させる装置であり、例えば送風機が例示できる。なお、「固化」とは、接着剤中に含まれる溶剤が完全に蒸発して固化する状態は勿論のこと、接着剤中の溶剤含有率が低下して固化する過程（所謂生乾きの状態）や、溶剤の粘度が増加して硬くなる状態をも含んでいる。また、「トリミング装置」とは、刃物を有する装置であればいかなるものであってもよい。
【００１３】
本発明の化粧板の製造システムによれば、塗布装置によって、薄紙の裏面全面にまんべんなく接着剤が塗布される。そして、貼着工程によって、薄紙が、基材の端面からはみ出すように貼着される。この薄紙の余剰部を、冷却固化装置によって集中的に冷却することで、余剰部に塗布された接着剤を迅速に固化させることができる。そして、接着剤の固化に伴い、余剰部に含まれる繊維成分が固められ、薄紙に靭性が生じて腰がでる。このため、刃部を押し当てても余剰部が逃げないようになり、簡単に、かつ精度良くトリミングを行うことができる。また、冷却固化装置によって、接着剤が迅速に固化されるため、一連の搬送ライン上における連続的な製造工程を実現できる。
【００１４】
また、本発明の化粧板の製造システムによれば、ホットメルト型（熱溶融形）の接着剤を利用する場合などに比べ、加熱タンクを持ったアプリケータのような大掛かりで高価な装置を用いることなく、比較的簡単な構成を用いて薄紙を基材に貼着させることができる。よって、コスト性に優れる化粧板の製造システムを提供できる。
【００１５】
ところで、本発明の化粧板の製造システムにおいて、「前記塗布装置によって前記基材に前記接着剤が塗布された後であり、かつ前記冷却固化装置によって前記余剰部が冷却される前に、前記余剰部に塗布された前記接着剤に含まれる水または溶剤を蒸発させ、乾燥させる乾燥装置をさらに備える」ものとすることができる。
【００１６】
ここで、「乾燥装置」とは、接着剤に含まれる溶剤等を急速に蒸発させるものであればいかなるものであっても良く、例えばドライヤーなどを用いて余剰部に温風を吹きつけるものであっても良いし、一連の搬送ライン上に乾燥室を設け、この乾燥室内に基板が搬送されて通過することで接着剤の乾燥を促進させるものであっても良い。
【００１７】
本発明の化粧板の製造システムによれば、乾燥装置によって余剰部を乾燥させる構成のため、余剰部に塗布された接着剤中に含まれる溶剤等を素早く蒸発させることができる。これにより、迅速にトリミング工程に移行することができ、化粧板の生産効率をより一層高めることができる。
【００１８】
ところで、本発明の化粧板の製造システムにおいて、トリミング装置の有する刃部が、ナイフやカッターなど前後に摺動させて切断する形式の直線刃であった場合には、切除後の切屑や余剰部の接着剤などが刃部に付着し、刃部の切れ味が低下しやすいと言う問題点があった。また、搬送ライン上に存在する微妙な凹凸や傾斜により、刃部と基材との接触点が変動し、余剰部のみならず基材にも刃部が接触する恐れがあった。この場合、基材の搬送に従って刃部が基材に食い込んでしまう恐れがあった。
【００１９】
本発明は、この問題に鑑み、「前記トリミング装置は、前記搬送ラインによって搬送される前記基材の通路に配置され、前記余剰部を切除する回転刃を有する」ものとすることができる。
【００２０】
本発明の化粧板の製造システムによれば、余剰部を切除するトリミング装置は回転刃を有する。回転刃では、複数の刃部を回転させ、被切除部（ここでは、余剰部）に接触させ、断続的に切断する。このとき、刃部に付着した切屑や接着剤は、刃部が回転することで刃部から離れて飛ばされるため、目詰まりを起こしにくい。また、一つの刃部が断続的に切断を行うことから、一つの刃部のみが常に被切除部に接触することがないため、摩擦熱によって刃部が加熱されにくく、刃部の鈍りを防ぎ、切れ味をより長持ちさせることができる。従って、刃物を交換する回数が低減され、生産効率を向上させることができる。
【００２１】
また、本発明のトリミング装置によれば、回転刃を有するため、たとえ基材と刃部とが接触することがあっても、刃部を支持する軸を回転させることによって、基材のエッジ部（境界部）を面取りしながら刃部を基材の下部側に移動させることができる。従って、刃を基材に食い込ませたまま基材を搬送する恐れが少ない。よって、一連の搬送ライン上にてより効率的に化粧板を製造できる製造システムが提供できる。
【００２２】
一方、本発明にかかる化粧板の製造方法は、「薄紙の裏面に水性系または溶剤系の接着剤を塗布する塗布工程と、前記薄紙の端部が基材の端面からはみ出すように基材の表面及び前記端面に前記薄紙を貼着させる貼着工程と、前記基材の前記端面よりはみ出した前記薄紙の余剰部を冷却し前記余剰部に塗布されている前記接着剤を固化させる冷却固化工程と、冷却された前記余剰部を切除するトリミング工程とを一連の搬送ライン上で順次行う」ものである。
【００２３】
従って、本発明の化粧板の製造方法によれば、まず、薄紙の裏面に接着剤が塗布される。そして、接着剤の塗布された薄紙が基材に貼着される。ここで、貼着工程においては、薄紙の端部が基材の端面からはみ出すように、基材の表面及び端面に貼着される。これにより、基材の厚みや表面の凹凸状態が基材毎に変化することがあっても、すべての基材に確実に薄紙を貼着することができる。
【００２４】
続いて、冷却固化工程により、はみ出した薄紙の余剰部が集中的に冷却され、余剰部に塗布されている接着剤が迅速に固化する。従って、接着剤の固化に伴い、紙の繊維も固められ、薄紙に靭性が生じて腰がでる。
【００２５】
そして、余剰部は、トリミング工程によって切除される。余剰部の薄紙は、冷却固化工程によって靭性が生じて腰がでるので、刃物を押し当てても薄紙が逃げ難く、比較的簡単に精度良くトリミングを行うことができる。また、冷却固化工程に際して、基材に貼着された薄紙全面の接着剤を固化させる必要は無く、余剰部に塗布された接着剤のみを固化させれば良いため、素早くトリミング工程に移行でき、化粧板の生産効率を向上させることができる。
【００２６】
ところで、本発明の化粧板の製造方法において、「前記塗布工程の後に、前記余剰部に塗布された前記接着剤に含まれる水または溶剤を蒸発させ、乾燥させる乾燥工程をさらに行う」ものとすることができる。
【００２７】
本発明の化粧板の製造方法によれば、乾燥工程をさらに行うことにより、余剰部に塗布された接着剤に含まれる水または溶剤（以下、「溶剤等」という）を素早く蒸発させることができるため、より生産性の高い製造方法を提供できるものである。
【００２８】
なお、乾燥工程にて溶剤等を完全に蒸発させてしまうと、接着剤の固化反応が急激に進行しすぎるため、余剰部にしわが寄ったり、縮んでしまう恐れが有る。このため、乾燥工程においては蒸発を完遂させず、後に続く冷却固化工程にて接着剤の固化を完了させることが肝要であり、これにより、余剰部が曲がったり、丸まったりせず、確実に余剰部をトリミングすることができる。
【発明の効果】
【００２９】
このように、本発明の化粧板の製造システムを用いることにより、人手を煩わせることなく、貼着工程からトリミング工程までを、一連の搬送ライン上で連続して行えるため、基材の搬送や余剰部のトリミング作業にかかる作業者の負担を軽減できる。また、一連の搬送ライン上で順次行うことから、極めて生産性の高い製造システムを提供できる。
【発明を実施するための最良の形態】
【００３０】
以下、本発明の実施形態である化粧板の製造システムについて、図１乃至図４に基づき説明する。図１は本発明の製造システムを模式的に表した説明図であり、図２は化粧板の貼着工程を示す説明図であり、図３はトリミング装置の模式図であり、図４はトリミング装置の平面図である。
【００３１】
なお、本実施形態の製造システム２で作製される化粧板１は、図２（ａ）に示すように、基材Ｋの表面Ｌと端面Ｗとに、接着剤Ａを用いて薄紙Ｐを貼着し、多様な模様、色彩、及び質感を表現している。基材Ｋには、ＭＤＦやパーティクルボードなどの木質基材が適用されている。薄紙Ｐとしては、絵柄や模様が印刷された薄葉紙、コート紙、チタン紙、和紙などの紙系の材質または薄手のプラスチックフィルムが用いられ、好ましくは厚さ０．０５〜０．４ｍｍのものが適用される。また、接着剤Ａとしては、特に限定されるものではないが、本実施形態では、紙系の薄紙Ｐにはウレタン系の接着剤や酢酸ビニル系のエマルジョン型接着剤が用いられ、プラスチックフィルム系の薄紙Ｐにはウレタン系の接着剤またはエチル酢酸ビニル樹脂系の接着剤などが用いられている。
【００３２】
図１に示すように、本実施形態の化粧板１の製造システム２は、一連の搬送ライン３上において化粧板１を製造するものであり、主に塗布装置４、貼着装置５、乾燥装置６、冷却固化装置７、及びトリミング装置８などを備える。
【００３３】
搬送ライン３は、基台９、ベルトコンベア１０、基材クランプ台１１、及び載置台１２などから構成される。基台９は、一連の搬送ライン３のベースを為す台であり、全長は、生産規模や工場の敷地面積に応じて設定されている。ベルトコンベア１０は、ベルト機構１３、一対のベルト車１４、及び駆動手段Ｍなどで構成されている。ベルト機構１３は、幅広の無端環状ベルトであり、ベルトコンベア１０の両端側に配置された一対のベルト車１４によって基台９内を循環し、基材Ｋを図面右側から左側へと搬送する。
【００３４】
基台クランプ台１１は、冷却固化工程やトリミング工程（後述する）において基材Ｋの位置決めをするものであり、一対の調節機構１５によって、上下の高さが調節できるようになっている。基台クランプ台１１は、ベルト機構１３との協働で基材Ｋの左右端部側（図面手前から奥側の幅方向側の端部）を狭持しつつ、基材Ｋを搬送するものであり、特にトリミング工程において、基材Ｋが動いて位置ずれすることを防止する。載置台１２は、基台９の側面から外側に向けて、フランジ状に突出した状態で設けられているものであり、トリミング装置８や後述する研磨機３５などを載置できるようになっている。
【００３５】
塗布装置４は、図２（ａ）に示すように、薄紙Ｐの裏面に接着剤Ａを塗布する装置である。塗布装置４としては、本例では公知のナイフコーターを適用しているが、この構成に限定されるものではなく、アプリケーターロールを用いた正転ロールコーター、リバースロールコーター、グラビアコーター、キスコーターなど公知の塗布装置を適宜選択可能である。
【００３６】
貼着装置５は、図２（ｂ）に示すように、基材Ｋの端面Ｗ及び表面Ｌに薄紙Ｐを貼り付けるものである。構成としては、特に限定されるものではなく、プレス装置など公知の貼着装置が例示できる。なお、薄紙Ｐの幅方向（基材Ｋの搬送方向に対して垂直方向）の長さは、複数の基材Ｋ毎のサイズのばらつきを吸収するため、基材Ｋの幅方向に対して必要な長さ（すなわち、端面Ｗの高さ×２＋表面Ｌの幅方向の長さ）よりも長めに設定されている。従って、端面Ｗに貼着された薄紙Ｐの一部は、余剰部Ｙとして端面Ｗよりはみ出している。
【００３７】
乾燥装置６（図１参照）は、薄紙Ｐの貼着された基材Ｋを乾燥させるものである。本実施形態においては、乾燥装置６は箱型のドーム形状を呈しており、ベルト機構１３に載置された基材Ｋが内部を通過できるよう構成されている。基材Ｋは、乾燥装置６の内部を通過することにより、余剰部Ｙに塗布された接着剤Ａ（図２（ｂ）参照）に対して温風が当てられ、乾燥させられる。
【００３８】
冷却固化装置７は、基材Ｋの余剰部Ｙに塗布されている接着剤Ａ（図２（ｂ）参照）を冷却して固化させ、余剰部Ｙに腰を生じさせるものである。構成としては、コンプレッサーを用いたブロワーや、ドライアイスの冷気を送風機によって吹き付ける構成などが例示でき、余剰部Ｙに対して冷風を吹き付けるように構成されている。
【００３９】
トリミング装置８は、図３及び図４に示すように、余剰部Ｙを切除するものであり、ベース部材１６、ブロック体１７、支持体１８、モーター１９、主倣いロール２０、補助倣いロール２１、及び回転刃２２などを有する。ベース部材１６は、トリミング装置８のベースを為す部材であり、載置台１２に対して固定された略コの字形状の部材である。鉛直方向に立設された一対の鉛直レール２３が備えられており、鉛直レール２３によって、ブロック体１７を鉛直方向にガイドできる構成である。ブロック体１７の下部と支持体１６との間には、調整機構２４が備えられており、ブロック体１７の高さを調節できるよう構成されている。
【００４０】
図４に示すように、ブロック体１７には、さらに水平レール２５が貫通している。水平レール２５の両端部は、支持体１８に対して固定されており、支持体１８はストロークａの範囲で矢印Ｘの方向に移動可能である。支持体１８は、壁体２６と、壁体２６の下部から矢印ｃの方向に水平に配設された底面板２７と、底面板２７と対向する面の壁体２６の側面側に配設され、矢印ｂの方向に垂直に延出された一対の側面板２８ａ，２８ｂとを備える部材である。側面板２８ａ，２８ｂは、水平レール２５に固定されており、底面板２７には、モーター載置台２９が載置されている。モーター載置台２９には、上部にモーター１９が載置されている。
【００４１】
モーター１９は、電動機など公知の駆動手段から成り、回転刃２２を回転駆動するものである。回転刃２２は、モーター１９によって回転駆動させられ、余剰部Ｙを切除する構成である。なお、モーター載置台２９（図３参照）には、調整ネジ３３が備えられており、回転刃２２の位置を微調整できるよう構成されている。
【００４２】
図３に示すように、支持体１８には、さらに、基材Ｋと回転刃２２との位置関係を調整するための調整機構４０及び付勢手段３０が備えられている。調整機構４０は、固定部材４１、固定部材４１に組みつけられた移動軸４２、移動軸４２の一端側に軸支されたスライド部材４４、スライド部材４４に取り付けられ、主倣いロール２０の傾斜角度を調整する傾斜調整部材４５、及び傾斜調整部材４５に回動可能に軸支された主倣いロール２０から構成される。固定部材４１は、支持体１８の上部に固定されており、移動軸４２は、調整ネジ３２を回すことで、矢印ｄ及び矢印ｅの方向に移動可能な構成である。スライド部材４４は、移動軸４２の移動量に応じて傾斜調整部材４５の位置をスライドさせ、傾斜角度を調整するものである。主倣いロール２０は、傾斜調整部材４５の端部に軸支されており、周縁部３１がテーパを有する円盤状を呈している。また、付勢手段３０は、スプリングやエアシリンダーなどから成り、支持体１８の側面４３と支持体１６との間に備えられている。付勢手段３０は、有る一定の圧力、例えば０．５ｋｇ／ｃｍ２程度の圧力で支持体１８全体を基材Ｋの端面Ｗ側（矢印ｅ側）へと付勢しており、これにより、主倣いロール２０の周縁部３１が端面Ｗに対して所定の圧力で押し付けられる構成である。従って、仮に基材Ｋの大きさや搬送位置が変化し、端面Ｗの位置が回転刃２２から離れた場合（すなわち、矢印ｅ側へとシフトした場合）でも、付勢手段３０の付勢力によってモーター１９及び回転刃２２が基材Ｋ側へとシフトする構成である。一方、基材Ｋの位置が矢印ｄ側へとシフトした場合は、主倣いロール２０の周縁部３１が端面Ｗに接触することにより、付勢手段３０の付勢力に抗して支持体１８全体を矢印ｄ側へとシフトさせる構成である。このような構成を用いることにより、基材Ｋの位置が変動した場合であっても、常に回転刃２２と余剰部Ｙとの位置関係を一定に保てる構成となっている。なお、調整ネジ３２を回すことにより、移動軸４２の先端に軸支された主倣いロール２０の位置を矢印ｄ及び矢印ｅの方向に移動させることができ、これにより回転刃２２と基材Ｋとの位置関係を微調整することが可能な構成である。
【００４３】
また、支持体１８には、補助倣いロール２１が備えられている。補助倣いロール２１は、基材Ｋの余剰部Ｙが、基材Ｋの裏面に付着して、回転刃２２と接触できずに切り残されることを防ぐものであり、ベルトコンベア１０と余剰部Ｙとの間に挿入され、基材Ｋの下面に接するよう配置されている。そして、余剰部Ｙを回転刃２２と接触しやすいように立たせるよう構成されている。
【００４４】
なお、トリミング装置８には、図４に示すように、吸引機３４がさらに備えられている。吸引機３４は、図略の吸引装置と、一端側が吸引装置に接続された吸引通路３６と、吸引通路３６の他端側に接続され、回転刃２２の周辺を囲うカップ（図示しない）とから成り、後述するトリミング工程にて発生した切屑などのゴミをカップで受取り、吸引通路３６を通して吸引装置で吸い取れるよう構成されている。
【００４５】
研磨機３５（図１参照）は、基材Ｋの切り口に押し当てた状態で、回動可能に接続された布やすり（図示しない）を備えるものであり、余剰部Ｙを切除した後の基材Ｋの切り口を研いで滑らかにするよう構成されている。
【００４６】
続いて、本発明の化粧板１の製造方法について図１乃至図３に基づき説明する。本発明の化粧板１の製造方法は、五つの工程、すなわち、「塗布工程」、「貼着工程」、「乾燥工程」、「冷却固化工程」、及び「トリミング工程」に大別することができる。
【００４７】
まず、「塗布工程」では、図１に示すように、接着剤Ａを薄紙Ｐの裏面（図２（ａ）参照）に塗布する。「貼着工程」では、図２（ａ）に示すように、ベルトコンベア１０上を搬送されてきた基材Ｋの、表面Ｌ及び端面Ｗに薄紙Ｐを貼着する。ここで、薄紙Ｐの大きさは、貼着すべき基材Ｋの面積の幅よりも大きめに設定されているので、端部が余剰部Ｙとして基材Ｋの端部よりはみ出すこととなる。
【００４８】
なお、貼着する前処理として、被貼着面となる表面Ｌ及び端面Ｗに対して、砥の粉などの目止め処理剤が塗布されることが好ましい。これによれば、表面Ｌ及び端面Ｗに形成される空隙（木片の小片同士の隙間）が目止め処理剤によって埋められ、貼着処理が確実となる。特に、目止め処理剤として、ゴム系の塗料や樹脂を塗布するようにすれば、被貼着面の平滑化に加え、防湿の効果も得ることができる。
【００４９】
「乾燥工程」では、図１に示すように、基板Ｋを乾燥装置６内に通過させることによって、余剰部Ｙに塗布された接着剤Ａを乾燥させる。ここで、接着剤Ａをあまりに急激に、且つ完全に乾燥させることは、余剰部Ｙの変形（皺や丸まりなど）を招く恐れがあるため好適ではなく、接着剤Ａ中の溶剤含有率は、１０％以下且つ１％以上となるように乾燥させることが好ましい。
【００５０】
「冷却固化工程」では、冷却固化装置７によって、余剰部Ｙに冷風を吹き付ける。これにより、余剰部Ｙに塗布されている接着剤Ａが速やかに固化する。従って、余剰部Ｙは急速に変形することなく靭性が生じて腰が出る。
【００５１】
「トリミング工程」では、図３に示すように、回転刃２２を用いて、基材Ｋの端部から突出する薄紙Ｐの余剰部Ｙを切除する。回転刃２２と余剰部Ｙとの接触点は、調整ネジ３２，３３を調節することによって位置を微調整することができる。また、主倣いロール２０の位置に従って、支持体１８全体と基材Ｋとの位置関係を一定に保つ働きがあるため、回転刃２２と基材Ｋとの位置関係も一定に保たれ、常に安定した接触位置を保つことができる。そして、研磨機３５によって、境界部に残るケバ（切断後に残った、薄紙Ｐや基材Ｋの繊維成分）を除去する。つまり、不要な部分を取り除いて全体の形状を整える。そして、基材Ｋの境界部Ｄ（図１参照）における薄紙Ｐを、作業者がカッターなどで切り離すことにより、一枚毎の化粧板１が取り出される。
【００５２】
以上のように、本例の化粧板１の製造システム２によれば、冷却固化装置を備えることにより、余剰部Ｙが素早く固化する。従って、塗布工程からトリミング工程までの工程を、一連の搬送ライン３上で連続して行うことができる。また、一連の工程を搬送ライン３上で順次行うことができるため、極めて生産性が高い。
【００５３】
また、本実施形態では、乾燥装置を備えることにより、冷却固化工程を効率化し、より生産性の高い製造システムを提供できる。また、溶剤系の接着剤Ａを使用することにより、比較的簡単な装置を用いて基材Ｋに薄紙Ｐを貼着することができるため、コスト性に優れる化粧板１を提供できる。
【００５４】
さらに、本実施形態によれば、回転刃を有するトリミング装置を備えることにより、回転刃２２が端面Ｗに食い込みにくいため、搬送を停止させたり、回転刃２２が折れる可能性を低減できる。また、回転刃２２を回転させ、断続的に切断を行うことから、回転刃２２の同じ部分のみが常に被切除部（ここでは余剰部Ｙ）に接触し続けないため、切れ味をより長持ちさせ、より一層効率的で生産性の高い製造システム２を提供できる。
【００５５】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００５６】
上記実施形態では、乾燥装置６は、余剰部Ｙに塗布された接着剤Ａに対して温風を吹き付けるものを例示したが、これに限定されるものではなく、基材Ｋ全体を乾燥させるものであっても良い。また、温風ではなく、常温の風を吹きつけるものであっても良いし、風を吹きつけるのではなく、乾燥装置６内を高温に保ち、その内部に基材Ｋを通過させる構成としても良い。要するに、余剰部Ｙに塗布された接着剤Ａを素早く乾燥させることができるものであれば、如何なるものであっても良い。
【００５７】
また、上記実施形態では、「乾燥工程」は、「貼着工程」の後であり且つ「トリミング工程」の前に行われるものを例示したが、これに限定されるものではなく、薄紙Ｐに接着剤Ａを塗布する「塗布工程」の後であり、且つ基板Ｋに薄紙Ｐを貼着させる「貼着工程」の前であってもよい。さらに、「貼着工程」の前と後とで二回の「乾燥工程」を経るものであってもよいし、乾燥装置６を適用せず、搬送ライン３上を基材Ｋが搬送されていく際の自然乾燥のみで接着剤Ａを乾燥させる構成としても良い。但し、本実施形態のように、少なくとも「トリミング工程」の前には、乾燥装置６によって積極的に接着剤Ａを乾燥させる構成とすると、より迅速且つ確実に余剰部Ｙの接着剤を固化させ、トリミングを行うことができるため、より好ましい。
【００５８】
上記実施形態では、薄紙Ｐを切り離して一枚の化粧板１を取り出す作業は、作業者によって手動で行われるものを例示したが、これに限定されるものではなく、公知の自動裁断機等を用いて分離する構成としても良い。また、図示はしないが、取り出された化粧板１を回収する方法としては、ロボットなどによって自動的に回収したり、ワゴンなどに積載して作業者が運搬するなど、適宜の方法が選択可能である。
【図面の簡単な説明】
【００５９】
【図１】本実施形態の製造システムを示す説明図である。
【図２】化粧板の塗布工程及び貼着工程を示す説明図である。
【図３】本実施形態のトリミング装置の模式図である。
【図４】本実施形態のトリミング装置の平面図である。
【図５】従来の化粧板における問題点の一例を示す説明図である。
【符号の説明】
【００６０】
１  化粧板
２  製造システム
３  搬送ライン
４  塗布装置
５  貼着装置
６  乾燥装置
７  冷却固化装置
８  トリミング装置
２２  回転刃
Ｌ  表面
Ｗ  端面
Ｋ  基材
Ｐ  薄紙
Ａ  接着剤
Ｙ  余剰部
【図１】
2006175769.tif 000003
【図２】
2006175769.tif 000004
【図３】
2006175769.tif 000005
【図４】
2006175769.tif 000006
【図５】
2006175769.tif 000007